【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
１つ又は複数のプロセッサによって実行されるコンピュータ実装方法であって、
前記方法は：
前記１つ又は複数のプロセッサによって、コンピューティングデバイスから、前記コンピューティングデバイスによって検出されるＷｉ−Ｆｉ（登録商標）信号の特徴情報を受信するステップであって、前記特徴情報は前記Ｗｉ−Ｆｉ信号の識別情報を含む、前記受信するステップと；
前記１つ又は複数のプロセッサによって、前記Ｗｉ−Ｆｉ信号の前記特徴情報に関連する１つ又は複数のターゲット対象を識別するためにデータベースを検索するステップであって、前記データベースは複数のＷｉ−Ｆｉ信号の特徴情報を複数のターゲット対象の識別情報にマッピングし、前記特徴情報は前記コンピューティングデバイスによって検出される前記Ｗｉ−Ｆｉ信号の強度を示す第１の信号強度を含む、前記検索するステップと；
データベースにおいて前記１つ又は複数のターゲット対象にマッピングされる１つ又は複数の第２の信号強度を特定するステップであって、前記１つ又は複数の第２の信号強度は前記Ｗｉ−Ｆｉ信号に関連付けられている、前記特定するステップと；
前記１つ又は複数のターゲット対象に関連する１つ又は複数の固有値を特定するステップであって、それぞれのターゲット対象の固有値は前記第１の信号強度と前記それぞれのターゲット対象にマッピングされている第２の信号強度との差に基づいて計算される、前記特定するステップと；
前記１つ又は複数のターゲット対象のうちの少なくとも１つのターゲット対象を選択するステップであって、前記少なくとも１つのターゲット対象の各ターゲット対象は前記ターゲット対象に関連付けられたそれぞれの固有値に基づいて選択される、前記選択するステップと；
前記１つ又は複数のプロセッサによって、前記コンピューティングデバイス上に表示される少なくとも１つのターゲット対象の識別情報を提供するステップと；を備える、
コンピュータ実装方法。
【請求項２】
前記少なくとも１つのターゲット対象の各ターゲット対象は、前記ターゲット対象に関連付けられた前記それぞれの固有値が所定の閾値未満であると特定することに応じて選択される、
請求項１に記載のコンピュータ実装方法。
【請求項３】
前記各ターゲット対象の前記固有値は、前記各ターゲット対象に関連付けられた前記第１の信号強度と前記第２の信号強度との差の関数の逆数として特定され、
前記少なくとも１つのターゲット対象の各ターゲット対象は、前記ターゲット対象に関連付けられたそれぞれの固有値が閾値より大きいと特定することに応じて選択される、
請求項１に記載のコンピュータ実装方法。
【請求項４】
前記特徴情報は、前記コンピューティングデバイスによって検出される前記Ｗｉ−Ｆｉ信号の強度値を示す第１の信号強度を含み、
前記方法は：
データベースにおいて前記１つ又は複数のターゲット対象にマッピングされる１つ又は複数の第２の信号強度を特定するステップであって、前記１つ又は複数の第２の信号強度は前記Ｗｉ−Ｆｉ信号に関連付けられている、前記特定するステップと；
前記少なくとも１つのターゲット対象を選択するステップであって、前記少なくとも１つのターゲット対象の各ターゲット対象は前記ターゲット対象に関連付けられたそれぞれの第２の信号強度が閾値よりも大きいと特定することに応じて選択される、前記選択するステップと；を更に備える、
請求項１に記載のコンピュータ実装方法。
【請求項５】
前記特徴情報は、前記コンピューティングデバイスによって検出される前記Ｗｉ−Ｆｉ信号の強度値を示す信号強度を含み、
前記データベースは、前記信号強度が閾値より大きいと特定することに応じて検索される、
請求項１に記載のコンピュータ実装方法。
【請求項６】
前記特徴情報は、第１の特徴情報であり、
前記Ｗｉ−Ｆｉ信号は、第１のＷｉ−Ｆｉ信号であり、
前記方法は：
前記コンピューティングデバイスによって検出される第２のＷｉ−Ｆｉ信号の第２の特徴情報を受信するステップを更に備え、
前記第１の特徴情報は、前記コンピューティングデバイスによって検出される前記第１のＷｉ−Ｆｉ信号の第１の強度を示す第１の信号強度を含み、
前記第２の特徴情報は、前記コンピューティングデバイスによって検出される前記第２のＷｉ−Ｆｉ信号の第２の強度を示す第２の信号強度を含む、
請求項１に記載のコンピュータ実装方法。
【請求項７】
前記データベースは、前記第１の信号強度及び前記第２の信号強度の少なくとも１つが閾値よりも大きいと特定することに応じて検索される、
請求項６に記載のコンピュータ実装方法。
【請求項８】
前記データベースは、前記閾値よりも大きい前記第１の信号強度及び前記第２の信号強度の前記少なくとも１つに関連付けられた前記特徴情報に関連する１つ又は複数のターゲット対象を識別するために検索される、
請求項７に記載のコンピュータ実装方法。
【請求項９】
前記少なくとも１つのターゲット対象の前記識別情報を提供するステップに応じて、前記コンピューティングデバイスからサービス要求を受信するステップであって、前記サービス要求は、前記少なくとも１つのターゲット対象から選択され、選択されたターゲット対象の識別を含む、前記受信するステップを更に備える、
請求項１に記載のコンピュータ実装方法。
【請求項１０】
前記Ｗｉ−Ｆｉ信号は、第１のＷｉ−Ｆｉ信号であり、
前記サービス要求は、識別情報と第２のＷｉ−Ｆｉ信号の信号強度を含み、
前記方法は：
前記選択されたターゲット対象を前記第２のＷｉ−Ｆｉ信号の前記識別情報と前記信号強度にマッピングするために、前記データベースを更新するステップを更に備える、
請求項９に記載のコンピュータ実装方法。
【請求項１１】
動作を実行するために、コンピュータシステムによって実行可能な１つ又は複数の命令を格納する非一時的なコンピュータ可読媒体であって、
前記動作は：
コンピューティングデバイスから、前記コンピューティングデバイスによって検出されるＷｉ−Ｆｉ信号の特徴情報を受信することであって、前記特徴情報は前記Ｗｉ−Ｆｉ信号の識別情報を含む、前記受信することと；
前記Ｗｉ−Ｆｉ信号の前記特徴情報に関連する１つ又は複数のターゲット対象を識別するためにデータベースを検索することであって、前記データベースは複数のＷｉ−Ｆｉ信号の特徴情報を複数のターゲット対象の識別情報にマッピングし、前記特徴情報は前記コンピューティングデバイスによって検出される前記Ｗｉ−Ｆｉ信号の強度を示す第１の信号強度を含む、前記検索することと；
データベースにおいて前記１つ又は複数のターゲット対象にマッピングされる１つ又は複数の第２の信号強度を特定することであって、前記１つ又は複数の第２の信号強度は前記Ｗｉ−Ｆｉ信号に関連付けられている、前記特定することと；
前記１つ又は複数のターゲット対象に関連する１つ又は複数の固有値を特定することであって、それぞれのターゲット対象の固有値は前記第１の信号強度と前記それぞれのターゲット対象にマッピングされている第２の信号強度との差に基づいて計算される、前記特定することと；
前記１つ又は複数のターゲット対象のうちの少なくとも１つのターゲット対象を選択することであって、前記少なくとも１つのターゲット対象の各ターゲット対象は前記ターゲット対象に関連付けられたそれぞれの固有値に基づいて選択される、前記選択することと；
前記コンピューティングデバイス上に表示される前記少なくとも１つのターゲット対象の識別情報を提供することと；を備える、
非一時的なコンピュータ可読媒体。
【請求項１２】
前記少なくとも１つのターゲット対象の各ターゲット対象は、前記ターゲット対象に関連付けられた前記それぞれの固有値が所定の閾値未満であると特定することに応じて選択される、
請求項１１に記載の非一時的なコンピュータ可読媒体。
【請求項１３】
前記各ターゲット対象の前記固有値は、前記各ターゲット対象に関連付けられた前記第１の信号強度と前記第２の信号強度との差の関数の逆数として特定され、
前記少なくとも１つのターゲット対象の各ターゲット対象は、前記ターゲット対象に関連付けられたそれぞれの固有値が閾値より大きいと特定することに応じて選択される、
請求項１１に記載の非一時的なコンピュータ可読媒体。
【請求項１４】
前記特徴情報は、前記コンピューティングデバイスによって検出される前記Ｗｉ−Ｆｉ信号の強度値を示す第１の信号強度を含み、
前記動作は：
データベースにおいて前記１つ又は複数のターゲット対象にマッピングされる１つ又は複数の第２の信号強度を特定することであって、前記１つ又は複数の第２の信号強度は前記Ｗｉ−Ｆｉ信号に関連付けられている、前記特定することと；
前記少なくとも１つのターゲット対象を選択することであって、前記少なくとも１つのターゲット対象の各ターゲット対象は前記ターゲット対象に関連付けられたそれぞれの第２の信号強度が閾値より大きいと特定することに応じて選択される、前記選択することと；を更に備える、
請求項１１に記載の非一時的なコンピュータ可読媒体。
【請求項１５】
前記特徴情報は、前記コンピューティングデバイスによって検出される前記Ｗｉ−Ｆｉ信号の強度値を示す信号強度を含み、
前記データベースは、前記信号強度が閾値より大きいと特定することに応じて検索される、
請求項１１に記載の非一時的なコンピュータ可読媒体。
【請求項１６】
前記特徴情報は、第１の特徴情報であり、
前記Ｗｉ−Ｆｉ信号は、第１のＷｉ−Ｆｉ信号であり、
前記動作は：
前記コンピューティングデバイスによって検出される第２のＷｉ−Ｆｉ信号の第２の特徴情報を受信することを更に備え、
前記第１の特徴情報は、前記コンピューティングデバイスによって検出される前記第１のＷｉ−Ｆｉ信号の第１の強度を示す第１の信号強度を含み、
前記第２の特徴情報は、前記コンピューティングデバイスによって検出される前記第２のＷｉ−Ｆｉ信号の第２の強度を示す第２の信号強度を含む、
請求項１１に記載の非一時的なコンピュータ可読媒体。
【請求項１７】
前記データベースは、前記第１の信号強度及び前記第２の信号強度の少なくとも１つが閾値よりも大きいと特定することに応じて検索される、
請求項１６に記載の非一時的なコンピュータ可読媒体。
【請求項１８】
コンピュータ実装システムであって：
１台又は複数台のコンピュータと；
前記１台又は複数台のコンピュータと相互運用可能に結合され、前記１台又は複数台のコンピュータによって実行されると１つ又は複数の動作を実行する１つ又は複数の命令を格納する有形の非一時的なマシン可読媒体を有する１つ又は複数のコンピュータメモリデバイスと；を備え、
前記動作は：
コンピューティングデバイスから、前記コンピューティングデバイスによって検出されるＷｉ−Ｆｉ信号の特徴情報を受信することであって、前記特徴情報は前記Ｗｉ−Ｆｉ信号の識別情報を含む、前記受信することと；
前記Ｗｉ−Ｆｉ信号の前記特徴情報に関連する１つ又は複数のターゲット対象を識別するためにデータベースを検索することであって、前記データベースは複数のＷｉ−Ｆｉ信号の特徴情報を複数のターゲット対象の識別情報にマッピングし、前記特徴情報は前記コンピューティングデバイスによって検出される前記Ｗｉ−Ｆｉ信号の強度を示す第１の信号強度を含む、前記検索することと；
データベースにおいて前記１つ又は複数のターゲット対象にマッピングされる１つ又は複数の第２の信号強度を特定することであって、前記１つ又は複数の第２の信号強度は前記Ｗｉ−Ｆｉ信号に関連付けられている、前記特定することと；
前記１つ又は複数のターゲット対象に関連する１つ又は複数の固有値を特定することであって、それぞれのターゲット対象の固有値は前記第１の信号強度と前記それぞれのターゲット対象にマッピングされている第２の信号強度との差に基づいて計算される、前記特定することと；
前記１つ又は複数のターゲット対象のうちの少なくとも１つのターゲット対象を選択することであって、前記少なくとも１つのターゲット対象の各ターゲット対象は前記ターゲット対象に関連付けられたそれぞれの固有値に基づいて選択される、前記選択することと；
前記コンピューティングデバイス上に表示される前記少なくとも１つのターゲット対象の識別情報を提供することと；を備える、
コンピュータ実装システム。
【請求項１９】
１つ又は複数のプロセッサによって実行されるコンピュータ実装方法であって、
前記方法は：
前記１つ又は複数のプロセッサによって、コンピューティングデバイスから、前記コンピューティングデバイスによって検出されるＷｉ−Ｆｉ信号の特徴情報を受信するステップであって、前記特徴情報は前記Ｗｉ−Ｆｉ信号の識別情報を含む、前記受信するステップと；
前記１つ又は複数のプロセッサによって、前記Ｗｉ−Ｆｉ信号の前記特徴情報に関連する１つ又は複数のターゲット対象を識別するためにデータベースを検索するステップであって、前記データベースは複数のＷｉ−Ｆｉ信号の特徴情報を複数のターゲット対象の識別情報にマッピングする、前記検索するステップと；
前記１つ又は複数のプロセッサによって、前記コンピューティングデバイス上に表示される前記１つ又は複数のターゲット対象のうちの少なくとも１つのターゲット対象の前記識別情報を提供するステップと；
前記少なくとも１つのターゲット対象の前記識別情報を提供するステップに応じて、前記コンピューティングデバイスからサービス要求を受信するステップであって、前記サービス要求は、前記少なくとも１つのターゲット対象から選択され、選択されたターゲット対象の識別を含む、前記受信するステップと；を備え、
前記Ｗｉ−Ｆｉ信号は、第１のＷｉ−Ｆｉ信号であり、
前記サービス要求は、識別情報と第２のＷｉ−Ｆｉ信号の信号強度を含み、
前記データベースは、前記選択されたターゲット対象を前記第２のＷｉ−Ｆｉ信号の前記識別情報と前記信号強度にマッピングするために更新される、
コンピュータ実装方法。
【請求項２０】
動作を実行するためにコンピュータシステムによって実行可能な１つ又は複数の命令を格納する非一時的なコンピュータ可読媒体であって、
前記動作は：
コンピューティングデバイスから、前記コンピューティングデバイスによって検出されるＷｉ−Ｆｉ信号の特徴情報を受信することであって、前記特徴情報は前記Ｗｉ−Ｆｉ信号の識別情報を含む、前記受信することと；
前記Ｗｉ−Ｆｉ信号の前記特徴情報に関連する１つ又は複数のターゲット対象を識別するためにデータベースを検索することであって、前記データベースは複数のＷｉ−Ｆｉ信号の特徴情報を複数のターゲット対象の識別情報にマッピングする、前記検索することと；
前記コンピューティングデバイス上に表示される前記１つ又は複数のターゲット対象のうちの少なくとも１つのターゲット対象の識別情報を提供することと；
前記少なくとも１つのターゲット対象の前記識別情報を提供することに応じて、前記コンピューティングデバイスからサービス要求を受信することであって、前記サービス要求は、前記少なくとも１つのターゲット対象から選択され、選択されたターゲット対象の識別を含む、前記受信することと；を備え、
前記Ｗｉ−Ｆｉ信号は、第１のＷｉ−Ｆｉ信号であり、
前記サービス要求は、識別情報と第２のＷｉ−Ｆｉ信号の信号強度を含み、
前記データベースは、前記選択されたターゲット対象を前記第２のＷｉ−Ｆｉ信号の前記識別情報と前記信号強度にマッピングするために更新される、
非一時的なコンピュータ可読媒体。
【請求項２１】
コンピュータ実装システムであって：
１台又は複数台のコンピュータと；
前記１台又は複数台のコンピュータと相互運用可能に結合され、前記１台又は複数台のコンピュータによって実行されると１つ又は複数の動作を実行する１つ又は複数の命令を格納する有形の非一時的なマシン可読媒体を有する１つ又は複数のコンピュータメモリデバイスと；を備え、
前記動作は：
コンピューティングデバイスから、前記コンピューティングデバイスによって検出されるＷｉ−Ｆｉ信号の特徴情報を受信することであって、前記特徴情報は前記Ｗｉ−Ｆｉ信号の識別情報を含む、前記受信することと；
前記Ｗｉ−Ｆｉ信号の前記特徴情報に関連する１つ又は複数のターゲット対象を識別するためにデータベースを検索することであって、前記データベースは複数のＷｉ−Ｆｉ信号の特徴情報を複数のターゲット対象の識別情報にマッピングする、前記検索することと；
前記コンピューティングデバイス上に表示される前記１つ又は複数のターゲット対象のうちの少なくとも１つのターゲット対象の識別情報を提供することと；
前記少なくとも１つのターゲット対象の前記識別情報を提供することに応じて、前記コンピューティングデバイスからサービス要求を受信することであって、前記サービス要求は、前記少なくとも１つのターゲット対象から選択され、選択されたターゲット対象の識別を含む、前記受信することと；を備え、
前記Ｗｉ−Ｆｉ信号は、第１のＷｉ−Ｆｉ信号であり、
前記サービス要求は、識別情報と第２のＷｉ−Ｆｉ信号の信号強度を含み、
前記データベースは、前記選択されたターゲット対象を前記第２のＷｉ−Ｆｉ信号の前記識別情報と前記信号強度にマッピングするために更新される、
コンピュータ実装システム。